(57)【要約】【課題】個室感と開放感という、相反する顧客の要望を同時に満たせる間仕切りシステムを提供すること。【解決手段】細い材を枠状に組んだ骨組み枠からなる入口と、細い材を枠状に組んだ骨組み枠の内側の下部仕切部材を備えた間仕切りとからなり、入口及び間仕切りのうちいずれか又は両方の骨組み枠の内側の上部に、光や音を通す材質からなる上部仕切部材を加え、入口の端部と間仕切りの端部とを連結させ、所定の領域の周囲に配置した。【選択図】図２
0003121414.tif 000002
【実用新案登録請求の範囲】
【請求項１】
細い材を枠状に組んだ骨組み枠からなる入口と、
細い材を枠状に組んだ骨組み枠の内側の下部仕切部材を備えた間仕切りと
からなり、
前記入口及び前記間仕切りのうちいずれか又は両方の骨組み枠の内側の上部に、光や音を通す材質からなる上部仕切部材を加え、
前記入口の端部と前記間仕切りの端部とを連結させ、
所定の領域の周囲に配置した
間仕切りシステム。
【請求項２】
前記所定の領域にベッドが配置されている請求項１記載の間仕切りシステム。
【請求項３】
前記上部仕切部材がカーテンである、請求項１又は請求項２記載の間仕切りシステム。
【考案の詳細な説明】
【技術分野】
【０００１】
本考案は、ホテル等の大きい部屋において、個室感覚を得られる空間を確保し、かつ、個室感と開放感という、相反する利点を同時に確保する間仕切りシステムに関する。
【背景技術】
【０００２】
日常から離れ自然を感じながら、ゆったりと解放された時間及び空間を過ごしたい場合、例えば、リゾートホテルで滞在することでそのような時間及び空間を過ごすことができる。
【０００３】
このような場合、部屋でゆったりと解放された時間を過ごしたいとの顧客の要望に応えるために、ベッドのような就寝の為のベッドだけではなく、日中くつろぐこともできるようにベッドをデイベッドとして使用できるような形態で部屋に配置するホテルも存在する。
【０００４】
このようなホテルにおいて、一室の大きい空間が小さい複数の部屋に区切られていると、滞在者は圧迫感を感じてしまう。そこで、一室の大きい空間を小さい複数の部屋に区切ることはせず、大きい部屋のままで提供していることが多い。
【０００５】
この場合、ホテルの一室を複数人で利用する場合には、一室あたりの部屋数が人数分に等しい場合には、自分用の個室に滞在することができ、同室の人の視線から解放され、快適な環境を得ることができる。
【０００６】
しかし、一室あたりの部屋数が人数分に等しくない場合には、一室に複数人が滞在することになり、同室の人の視線を遮ることができず、快適な環境を得ることができない。
【０００７】
ここで、大きい部屋で複数人が快適に滞在する方法として、特許文献１に記載された間仕切りを利用する方法がある。
【０００８】
かかる特許文献１記載の考案は、病院や老人ホーム等の施設における各ベッドの周囲をカーテンで囲んだ個室感覚の小さい空間では、外部との間の光や音の遮断が難しいため、プライバシーの保護が確保できず、快適な入院生活を送ることが難しかったことに鑑み、
外部との間の光や音を遮断し、プライバシーの保護を確保しつつ、個室に準じる快適な入院環境を提供するために、ベッドの側面にＴ字型かつ床に設置する壁状のパネルを設置し、カーテンの設置は足側部のみとすることで、快適な環境を得ることを可能にした。
【特許文献１】特開２００５−２４０５５５号公報
【考案の開示】
【考案が解決しようとする課題】
【０００９】
しかしながら、特許文献１のように、壁状のパネルを、日中くつろぐためのデイベッドの周囲に囲んだ場合には、五感的に外部から遮断されすぎてしまい、かえって快適な環境を損なってしまうことがある。
【００１０】
例えば、この方法を、リゾートホテルのようにゆったりと解放された時間及び空間を味わいたい場において用いた場合には、間仕切りの内側にいる人は閉塞感を感じてしまい、当該パネルは、快適な環境を提供しているとはいえない。
【００１１】
そこで、上記の問題点に鑑み、本考案の目的は、個室感と開放感という、相反する顧客の要望を同時に満たせる間仕切りシステムを提供することである。
【課題を解決するための手段】
【００１２】
（１）上記のような課題を解決するため、本考案に係る間仕切りシステムは、細い材を枠状に組んだ骨組み枠からなる入口と、細い材を枠状に組んだ骨組み枠の内側の下部仕切部材を備えた間仕切りとからなり、入口及び間仕切りのうちいずれか又は両方の骨組み枠の内側の上部に、光や音を通す材質からなる上部仕切部材を加え、入口の端部と間仕切りの端部とを連結させて、所定の領域の周囲に配置したことを特徴とする。
【００１３】
（２）また、間仕切りシステムは、ベッドの周囲に配置してもよく、上部仕切部材がカーテンであってもよい。
【考案の効果】
【００１４】
本考案の間仕切りシステムは、壁状ではなく枠状にし、日中くつろぐ為のスペースの周囲に、天井から床まで壁のように間仕切りを配置し、また、間仕切り枠の内部には光や音を通す素材の仕切りを掛けることにより、その間仕切りの内側にいる人が、間仕切りの外部の空間を感じる開放感を感じつつ、仕切られた空間の中にいることで個室感を得ることができる。
【考案を実施するための最良の形態】
【００１５】
以下、図面を参照して本考案の間仕切りシステムの実施の形態を説明する。以下の説明においては、本考案に係る間仕切りシステムをデイベッドの周囲に設置した場合について説明するが、本考案に係る間仕切りシステムは、所定の領域の周囲に配置されるが、所定の領域には、デイベッドに限らず、ソファ、布団、炬燵、カーペット等、日中、人がくつろぎたいスペースの周囲に適用することができるのはもちろんである。すなわち、本明細書における「所定の領域」とは、日中、人がくつろぎたいスペースを総称する名称として用いられるため、所定の領域には何も配置していなくても、本考案を実施する妨げにはならない。
【００１６】
図１は、本考案の間仕切りシステムの設置例の見取り図である。図１には、細い材を枠状に組んだ骨組み枠からなる入口１０と、細い材を枠状に組んだ骨組み枠の内側の下部仕切部材４０を備えた間仕切り２０とからなる本考案に係る間仕切りシステムが図示されており、入口１０の端部と間仕切り２０の端部とを連結させて、デイベッド５０の周囲に配置している状態が図示されている。
【００１７】
ここで、デイベッド５０は、部屋の角の壁及び窓に接する場所を設置場所としているが、設置場所は、部屋の角の壁及び窓に接する場所には限定されない。部屋の角で、かつ、二辺が壁若しくはクローゼットやドアのような壁に相応する側面に接する場所でもよいし、一辺のみが壁若しくは窓に接する場所でもよい。または、壁若しくは窓に全く接しない部屋の真ん中に設置してもよい。
【００１８】
図２は、図１の間仕切りシステムの設置例の斜視図である。図２には、細い材を枠状に組んだ骨組み枠からなる入口１０と、細い材を枠状に組んだ骨組み枠の内側の下部仕切部材４０を備えた間仕切り２０とからなり、入口１０及び間仕切り２０のうちいずれか又は両方の骨組み枠の内側の上部に、光や音を通す材質からなる上部仕切部材３０を加え、入口１０の端部と間仕切り２０の端部とを連結させて、デイベッド５０の周囲に配置している。
【００１９】
また、図２において、上部仕切部材３０はカーテンである。上部仕切部材３０のカーテンは、半透明のオーガンジー素材の布製のカーテンを採用すると、光や音の透過を可能になり、また、開閉が可能であることで、必要に応じて光や音の透過が調整できる。
【００２０】
ここで、カーテンは、開放感を感じることができるよう光や音を透過し、また、必要に応じて開閉が可能であれば、ブラインド、ロールスクリーンまたはアコーディオンカーテンといったものでもよい。また、材質は布製に限らず、紙製、プラスチック製、ビニール製等でもよい。また、布の種類は、オーガンジー素材に限定されず、光や音の透過度に応じて、多少の厚さがある布を使用してもよいし、また、レース等のように装飾の施されたカーテンを使用してもよい。
【００２１】
図２において、上部仕切部材３０は、カーテンの代わりに、ブラインド、ロールスクリーンまたはアコーディオンカーテンといった、縦方向若しくは横方向に、折りたたみ若しくはロール式に開閉する仕切りに限定されない。例えば、障子、襖または扉のように、枠内にはめ込み、横方向にスライド、若しくは、観音扉のように開閉できるものでもよい。
【００２２】
また、開閉の方向は、横方向に限定されず、縦方向でもよい。この場合、障子、襖または扉の材質は、紙製、木製（竹製）、ガラス製または金属製等その材質は問われない。また、枠の中の仕切りは２枚に限定されない。また、電車の窓のように、縦方向に開閉できるものでもよいし、サンロールのように斜め方向に開閉できるものでもよい。
【００２３】
また、上部仕切部材３０は、光や音を多少なりとも必要が無い場合には、光や音を多少透過、若しくは、全く透過しないような材質を採用してもよい。また、枠内に開閉不可の板をはめ込んでもよい。
【００２４】
また、上部仕切部材３０は、ガラス製を採用する場合、半透明か透明かは問われない。ステンドガラスのようなに装飾を施したガラスを用いてもよい。
【００２５】
また、上部仕切部材３０は、光や音を透過したくない時等には、必要に応じて、枠の中の仕切りを入れ替えることを可能とするようにしてもよい。
【００２６】
また、上部仕切部材３０は、手動で開閉できるものだけでなく、電動等、自動で開閉できるものでもよいし、上部仕切部材３０の開閉は、上部仕切部材３０の内側から若しくは外側からのいずれか又は両方から開閉できるようにするのも任意である。
【００２７】
上部仕切部材３０に開閉式のものを採用する場合、天井から床まで覆っているものである必要は無い。仕切りの中にいる際に個室感及び開放感を感じることができれば、覆っている部分の高さは問われない。
【００２８】
図２において、下部仕切部材４０は、下半分が板であり、上半分が柵となっているが、仕切りとしての役割を果たす形状であれば、図２における形状であることは問われない。
【００２９】
例えば、下部仕切部材４０の全面が板若しくは柵であってもよい。また、図２において柵は直棒を用いているが、曲棒でもよい。
【００３０】
また、入口１０、間仕切り２０及び上部仕切部材３０には、模様及び装飾を施しても良い。
【００３１】
図１及び図２において、壁及び窓に接している面には間仕切り２０は設置していないが、壁及び窓に接している面のいずれか又は両方に仕切りを設置しても良い。また、デイベッド５０の周囲を完全に取り囲んでもよい。また、床部分及び天井部分にも材を張り、箱形状にしたものを、大きい部屋の中に設置する、ユニットシステムにすることもできる。
【００３２】
また、図１及び図２において、仕切りの中の空間にはデイベッド５０を置いたが、仕切りで仕切られた空間の中で、人が個室感及び開放感を感じることができればよいので、中に置くものはデイベッド５０でなくても、ソファでも、マットレスでも、布団のように折りたたみ可能なものでも良い。また、何も置かなくても良い。
【００３３】
また、入口１０及び間仕切り２０の骨組み枠の断面は長方形であるが、断面は長方形に限定されない。また、図１及び図２において、入口１０及び間仕切り２０の骨組み枠の材質は問われない。
【００３４】
また、入口１０及び間仕切り２０は、骨組み枠の形状が四角形であるが、四角形であることは問われない。骨組み枠の形状は、アーチ状や三角形等でもよい。
【００３５】
さらに、入口１０及び間仕切り２０の横棒は直棒であるが、直棒であることは問われないし、入口１０及び間仕切り２０の縦棒は直棒であるが、直棒であることも問われない。例えば、入口１０及び間仕切り２０の組み合わせにより、中央部分が膨らんだ樽状の枠になる縦棒でも良い。
【００３６】
また、入口１０及び間仕切り２０は水平方向に対して垂直に設置されている必要はない。例えば、上方又は下方に円錐状になるように設置してもよい。
【００３７】
また、入口１０と間仕切り２０とは端部同士が連結しているが、連結部分は端部に限定されない。例えば、二枚の間仕切り２０を、Ｔ字型に連結した間仕切りと、入口１０とを組み合わせることにより、間仕切りされた空間を複数作り出すことが可能になる。
【００３８】
また、入口１０と間仕切り２０の連結部分は取り外しができるものであってもよい。例えば、連結部分の取り外しができれば、当該間仕切りシステムは移動可能になり、必要に応じて組み立てることにより、簡易に、個室感及び開放感を感じることができるプライベートスペースを確保することが可能になる。
【００３９】
以上、本考案の間仕切りシステムについて説明したが、本考案に係る実施の形態は、ホテルの大きな部屋においてのみならず、大きな空間の一部にプライベートスペースを作りたい際に本考案の間仕切りシステムにより、個室感及び開放感を感じることができる場所を確保することが可能になる。
【産業上の利用可能性】
【００４０】
本考案によれば、大きな部屋から一又は二以上の、個室感及び開放感を感じることができる場所を確保することが可能にすることで、人の精神面に癒しを与える分野に利用可能である。
【図面の簡単な説明】
【００４１】
【図１】本考案に係る間仕切りシステムの設置例の見取り図である。
【図２】本考案に係る間仕切りシステムの設置例の斜視図である。
【符号の説明】
【００４２】
１０  入口
２０  間仕切り
３０  上部仕切部材
４０  下部仕切部材
５０  デイベッド
【図１】
0003121414.tif 000003
【図２】
0003121414.tif 000004